(57)【特許請求の範囲】
【請求項１】
撮影設定項目の設定値を、基準値と少なくとも１つの補正値とに設定して複数の画像を取得するブラケティング撮影が可能な撮像装置であって、
ユーザ操作に応じて前記ブラケティング撮影における撮影枚数を設定する設定手段と、
ユーザ操作に応じた第１の操作信号と第２の操作信号により、前記ブラケティング撮影における補正値を、前記基準値に対するプラス側の値及びマイナス側の値を含む所定範囲内で変更する変更手段と、を備え、
前記撮影枚数がＮ枚（Ｎは３以上の整数）の場合は前記基準値に対してプラスとマイナスの側に少なくとも１つずつの計Ｎ−１個の補正値が設定され、前記変更手段は、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２枚の場合は前記基準値と１つの補正値が設定され、前記変更手段は、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる、ことを特徴とする撮像装置。
【請求項２】
前記撮影枚数が３枚の場合、前記基準値に対してプラスとマイナスの側に１つずつの計２つの補正値が設定され、前記変更手段は、前記第１の操作信号に応じて前記補正幅を順次に増加させ、前記第２の操作信号に応じて前記補正幅を順次に減少させ、
前記撮影枚数が２枚の場合、前記変更手段は、前記第１の操作信号に応じて前記補正値を前記所定範囲内で順次に増加させ、前記第２の操作信号に応じて前記補正値を前記所定範囲内で順次に減少する、ことを特徴とする請求項１に記載の撮像装置。
【請求項３】
ユーザ操作に応じて、前記ブラケティング撮影における撮影順序として、前記基準値を用いた撮影、前記基準値に対してプラス側の補正値を用いた撮影、前記基準値に対してマイナス側の補正値を用いた撮影の順序を設定する順序設定手段を更に備え、
前記撮影枚数が２枚の場合は、前記順序設定手段で設定された順序のうち、存在しない補正値での撮影を飛ばした順番で前記ブラケティング撮影を行う、ことを特徴とする請求項１または２に記載の撮像装置。
【請求項４】
前記設定手段により前記撮影枚数が３枚から２枚に変更された場合、前記撮影枚数が３枚のときの補正値のうち前記ブラケティング撮影における撮影順序で先に使用される補正値を、前記撮影枚数が２枚のときの補正値として設定する手段を更に備える、ことを特徴とする請求項１乃至３のいずれか１項に記載の撮像装置。
【請求項５】
前記設定手段により前記撮影枚数が３枚から５枚に変更された場合、前記基準値のプラスとマイナスの両側に１つずつ補正値が追加され、追加された各補正値と前記基準値との差は、前記撮影枚数が３枚のときの前記補正幅の２倍となるように設定されることを特徴とする請求項１乃至４のいずれか１項に記載の撮像装置。
【請求項６】
ユーザ操作に応じて前記基準値を設定する基準値の設定手段をさらに備えることを特徴とする請求項１乃至５のいずれか１項に記載の撮像装置。
【請求項７】
前記ブラケティング撮影における前記撮影設定項目は、露出、シャッタスピード、ＩＳＯ、ホワイトバランス、ストロボ、フォーカス、絞り、ＨＤＲのうちの少なくとも一つであることを特徴とする請求項１乃至６のいずれか１項に記載の撮像装置。
【請求項８】
前記撮影枚数がＮ枚の場合、前記変更手段は、前記補正幅が０である場合は、前記他方の操作信号があっても前記補正幅を変更しないことを特徴とする請求項１乃至７のいずれか1項に記載の撮像装置。
【請求項９】
撮影設定項目の設定値を、基準値と少なくとも１つの補正値とに設定して複数の画像を取得するブラケティング撮影が可能な撮像装置の制御方法であって、
設定手段が、ユーザ操作に応じて前記ブラケティング撮影における撮影枚数を設定する工程と、
変更手段が、ユーザ操作に応じた第１の操作信号と第２の操作信号により、前記ブラケティング撮影における補正値を、前記基準値に対するプラス側の値及びマイナス側の値を含む所定範囲内で変更する工程とを有し、
前記撮影枚数がＮ枚（Ｎは３以上の整数）の場合は前記基準値に対してプラスとマイナスの側に少なくとも１つずつの計Ｎ−１個の補正値が設定され、前記変更する工程では、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２の場合は前記基準値と１つの補正値が設定され、前記変更する工程では、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる、ことを特徴とする撮像装置の制御方法。
【請求項１０】
撮影設定項目の設定値を、基準値と少なくとも１つの補正値とに設定して複数の画像を取得するブラケティング撮影が可能な撮像装置のコンピュータに、
ユーザ操作に応じて前記ブラケティング撮影における撮影枚数を設定する工程と、
ユーザ操作に応じた第１の操作信号と第２の操作信号により、前記ブラケティング撮影における補正値を、前記基準値に対するプラス側の値及びマイナス側の値を含む所定範囲内で変更する工程と、を実行させるためのプログラムであって、
前記コンピュータに、
前記撮影枚数がＮ枚（Ｎは３以上の整数）の場合は前記基準値に対してプラスとマイナスの側に少なくとも１つずつの計Ｎ−１個の補正値を設定させ、前記変更する工程では、前記コンピュータに、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２の場合は前記基準値と１つの補正値を設定させ、前記変更する工程では、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる、ことを実行させるためのプログラム。
【請求項１１】
請求項１０に記載されたプログラムを格納したコンピュータ読み取り可能な記憶媒体。
【発明の詳細な説明】
【技術分野】
【０００１】
本発明は、デジタルカメラ等の撮像装置及びその制御方法に関し、特に、オートブラケット撮影における補正値の設定操作に関するものである。
【背景技術】
【０００２】
一般に、デジタルカメラ等の撮像装置において、特定の撮影設定項目を、基準値と、その基準値から補正ステップ量を増減した補正値とに設定して複数枚の撮影を行うオートブラケット撮影（以下、ブラケティング撮影という）が実現されている。また、ブラケティング撮影が可能な撮像装置では、補正ステップ量が設定可能となっている。例えば、撮影枚数が３枚のブラケティング撮影では、設定された基準値と、補正ステップ量を該基準値に加算／減算して得られた２つの補正値（プラス側補正値とマイナス側補正値）とを撮影設定項目の設定値として順次に設定して３枚の画像が撮影される。特許文献１には、ブラケティング設定モードが設定されたときには、第１の操作手段にてブラケティング基準値が設定可能とし、かつ第２の操作手段にて基準値に対して、ブラケティング撮影を行うための補正ステップ量が設定可能な撮像装置が開示されている。
【０００３】
ブラケティング撮影の補正値は、基準値と補正ステップ量で決定され、マイナス側補正値とプラス側補正値は基準値から同じ補正ステップ量（補正幅）だけマイナス側とプラス側に離れた値となっている。たとえば、露出に関してブラケティング撮影を行う場合、設定された露出（基準値）とその前後の露出（補正値）での撮影が行なわれ、より確実に撮影の失敗を回避することができる。
【０００４】
一般に、ユーザは、ブラケティング撮影における補正ステップ量を調整することができる。例えば、ダイヤルを時計方向に回すことで補正ステップ量を増加させ、ダイヤルを反時計方向に回すことで補正ステップ量を減少させるといったユーザインターフェースが実用化されている。
【０００５】
一方、ユーザの要望は多様化しており、ブラケティング撮影は基準値とそのプラス側もしくはマイナス側のいずれかの補正値とで撮影すれば十分であると考えるユーザも存在する。そのようなユーザは、ブラケティング撮影の撮影枚数を２枚に設定できるようにしたいと要望するであろう。
【先行技術文献】
【特許文献】
【０００６】
【特許文献１】特開２００３−０９２７０３号公報
【発明の概要】
【発明が解決しようとする課題】
【０００７】
上述のようにブラケティング撮影の撮影枚数が３枚の場合は、基準値と補正ステップ量により２つの補正値が決定される。しかしながら、ブラケティング撮影の撮影枚数を２枚にする場合、基準値と補正ステップ量だけでは、設定すべき補正値がマイナス側・プラス側のどちらになるかを決定できない。上述したようなユーザインターフェースでは、ダイヤルの操作方向に応じて補正ステップ量が増減するのみであるため、補正値をマイナス側からプラス側へ、あるいはプラス側からマイナス側へと、基準値をまたいで変更させることはできない。従って、ユーザが、撮影枚数を２枚としてブラケティング撮影の補正ステップ量を調節する場合は、補正ステップ量の調節に加えて、プラス、マイナスの符号の設定が別途必要になり、操作が煩雑になってしまう。
【０００８】
本発明は上記課題に鑑みてなされたものであり、ブラケティング撮影が可能な撮像装置において、ブラケティング撮影時の撮影枚数が２枚のときでも、容易に補正値を設定可能にすることを目的とする。
【課題を解決するための手段】
【０００９】
上記目的を達成するための本発明の一態様による撮像装置は以下の構成を備える。すなわち、
撮影設定項目の設定値を、基準値と少なくとも１つの補正値とに設定して複数の画像を取得するブラケティング撮影が可能な撮像装置であって、
ユーザ操作に応じて前記ブラケティング撮影における撮影枚数を設定する設定手段と、
ユーザ操作に応じた第１の操作信号と第２の操作信号により、前記ブラケティング撮影における補正値を、前記基準値に対するプラス側の値及びマイナス側の値を含む所定範囲内で変更する変更手段と、を備え、
前記撮影枚数がＮ枚（Ｎは３以上の整数）の場合は前記基準値に対してプラスとマイナスの側に少なくとも１つずつの計Ｎ−１個の補正値が設定され、前記変更手段は、前記第１、第２の操作信号のいずれか一方の操作信号に応じて前記基準値と前記Ｎ−１個の補正値の各々との差である補正幅を順次に増加させ、他方の操作信号に応じて前記補正幅を順次に減少させ、
前記撮影枚数が２枚の場合は前記基準値と１つの補正値が設定され、前記変更手段は、前記第１、第２の操作信号のいずれか一方の操作信号に応じて前記１つの補正値を前記所定範囲内で順次に増加させ、他方の操作信号に応じて前記１つの補正値を前記所定範囲内で順次に減少させる。
【発明の効果】
【００１０】
本発明によれば、ブラケティング撮影における撮影枚数が２枚であっても、補正値の設定を容易に行うことが可能となる。
【図面の簡単な説明】
【００１１】
【図１】実施の形態に係る撮像装置（デジタル一眼レフカメラ）の外観図。
【図２】図１に示した撮像装置の内部構成図。
【図３】図１に示した撮像装置の回路構成を示すブロック図。
【図４】ユーザがメニューから実行した場合のＡＥＢ補正値変更の処理の概要を示すフローチャート。
【図５】図４のＳ４０２におけるＡＥＢ撮影３枚用の設定処理の詳細を示すフローチャート。
【図６】図４のＳ４０３におけるＡＥＢ撮影２枚用の設定処理の詳細を示すフローチャート。
【図７】撮影処理を示すフローチャート。
【図８】（ａ）露出補正値とＡＥＢ補正値を設定する画面の表示例、（ｂ）ブラケティング順序を設定する画面の表示例、（ｃ）ブラケティング撮影時に補正量を変える枚数を設定する画面の表示例、を示す図。
【図９】（ａ）は「ブラケティング撮影時の撮影枚数」が３枚の表示例、（ｂ）、（ｃ）は「ブラケティング撮影時の撮影枚数」が２枚の表示例、を示す図。
【図１０】（ａ）は「ブラケティング時の撮影枚数」が３枚のとき、メイン電子ダイヤル１１５を操作した場合の表示の遷移例、（ｂ）は「ブラケティング時の撮影枚数」が２枚のとき、メイン電子ダイヤル１１５を操作した場合の表示の遷移例、を示す図。
【発明を実施するための形態】
【００１２】
以下、添付の図面を参照して本発明の好適な実施形態について説明する。
図１は、実施形態に係る撮像装置の外観図、図２は、図１に示した撮像装置の内部構成図である。図１，図２に示した撮像装置は、デジタル一眼レフカメラ（以下、カメラ本体という）１００として構成されている。
【００１３】
カメラ本体１００の上部には、アクセサリシュー１１０、光学ファインダ１０４、レリーズボタン１１４が設けられている。さらに、カメラ本体１００の上部には、メイン電子ダイヤル１１５、撮影モードダイヤル６０、外部表示ユニット４０９も設けられている。レリーズボタン１１４は、撮像動作を指示するために用いられる。メイン電子ダイヤル１１５は、ダイレクトに操作されることによって、シャッタスピード値や絞り値などを切換えたり、他の操作ボタンと共に操作されることによって、カメラ動作に関する数値を入力したり撮像設定を切換えたりするために用いられる。外部表示ユニット４０９は、液晶パネル等により構成され、シャッタスピード値、絞り値、撮像設定等の撮影条件その他の情報を表示する。撮影モードダイヤル６０は、撮影モードを変更するために用いられる。
【００１４】
カメラ本体１００の背面には、ＬＣＤモニタユニット４１７、ＭＥＮＵボタン６６、サブ電子ダイヤル１１６、ＳＥＴボタン１１７、電源スイッチ７２が設けられている。また、不図示であるが十字キーやマルチコントローラなどの操作部材も設けられている。
【００１５】
ＬＣＤモニタユニット４１７は、撮影により得られた画像（画像データ）や各種設定画面等を表示するために利用される。ＬＣＤモニタユニット４１７は、透過型ＬＣＤで構成され、バックライト４１６（図２参照）を有している。なお、ＬＣＤモニタユニット４１７は、本撮像装置で設定或いは処理可能な各種の設定、処理等を指定するためのメニュー画面や、後述するＡＥＢ撮影に必要な値を設定する画面（図８（ａ）〜（ｃ））を表示する表示器としても利用される。
【００１６】
ＭＥＮＵボタン６６は、メニュー表示の開始・終了をシステム制御回路５０に指示してＬＣＤモニタユニット４１７へのメニュー表示するために操作される。サブ電子ダイヤル１１６は、メイン電子ダイヤル１１５と同様に、ダイレクトに操作されることによって、シャッタスピード値や絞り値などを切換えるのに用いられる。また、サブ電子ダイヤル１１６は、他の操作ボタンと共に操作されることによって、カメラ動作に関する数値を入力したり撮像設定を切換えたりするために用いられる。ＳＥＴボタン１１７は、メニュー表示中の選択や確定などに用いられる。
【００１７】
カメラ本体１００の前面にはマウント１０６（図３参照）が設けられており、このマウント１０６には、交換レンズ３００に設けられたマウント３０６が着脱可能に結合される。図２において、５００は撮像光軸を示している。交換レンズ３００には、複数のレンズにより構成されるレンズユニット３１０、絞り３１２が設けられている。
【００１８】
また、カメラ本体１００の内部において、ミラー１３０が撮像光路内に配置されている。このミラー１３０は、レンズユニット３１０からの被写体光をファインダ光学系に向けて反射する位置（図２に示す位置）と、撮像光路外に退避する位置との間で移動可能となっている。ピント板１５０上には、ミラー１３０で反射された被写体光によって被写体像が形成される。
【００１９】
１５２はファインダの視認性を向上させるためのコンデンサレンズ、１３２はペンタゴナルダハプリズムである。ペンタゴナルダハプリズム１３２は、ピント板１５０及びコンデンサレンズ１５２を通った被写体光を接眼レンズ１５４に導く。これらピント板１５０〜接眼レンズ１５４によって光学ファインダ１０４が構成される。ユーザは、接眼レンズ１５４を通してピント板１５０上に形成された被写体像を観察することができる。
【００２０】
１５６，１６４は、それぞれ、フォーカルプレンシャッタ１２（図３参照）を構成する後幕と先幕である。これら後幕１５６及び先幕１６４の開放制御により、撮像素子１４が必要な時間だけ露光される。撮像素子１４は、ＣＣＤセンサやＣＭＯＳセンサにより構成され、その前面には光学ローパスフィルタ１６２が配設されている。また、撮像素子１４は、プリント基板１６０に接続されている。このプリント基板１６０の後方には、表示基板１５８が配置されている。
【００２１】
２００は撮像動作で得られた画像データを記録する記録媒体であり、半導体メモリやハードディスク等により構成される。８６は二次電池である。記録媒体２００及び二次電池８６は、カメラ本体１００に対して着脱が可能である。
【００２２】
次に、カメラ本体１００及び交換レンズ３００の回路構成を図３に基づいて説明する。なお、図３において、図１及び図２に示した構成要素については、図１及び図２と同一の符号を付している。
【００２３】
まず、交換レンズ３００内の回路構成について説明する。交換レンズ３００には、この交換レンズ３００をカメラ本体１００と電気的に接続するためのコネクタ３２２及びインターフェース３２０が設けられている。コネクタ３２２及びインターフェース３２０は、カメラ本体１００に設けられたコネクタ１２２及びインターフェース１２０を介して、後述するレンズシステム制御回路３５０とカメラ本体１００内のシステム制御回路５０との通信を可能とする。
【００２４】
絞り制御部３４０は、絞り３１２を制御する絞り制御部である。絞り制御部３４０は、後述する測光制御部４６からの測光情報に基づいて、シャッタ制御部４０と連携しながら絞り３１２を制御する。フォーカス制御部３４２は、レンズユニット３１０のフォーカス動作を制御する。ズーム制御部３４４は、レンズユニット３１０の変倍動作を制御する。レンズシステム制御回路３５０は、交換レンズ３００の各種動作を全体的に制御する。レンズシステム制御回路３５０は、各種動作用の定数、変数、コンピュータプログラム等を記憶するメモリを備えている。
【００２５】
次に、カメラ本体１００内の回路構成について説明する。レンズユニット３１０及び絞り３１２を通過した被写体光は、ミラー１３０が撮像光路外に退避した状態（ミラー１３０がハーフミラーである場合は撮像光路内に配置された状態）で、開放されたフォーカルプレンシャッタ１２を通過して撮像素子１４に入射される。撮像素子１４は、入射された被写体光を光電変換し、アナログの画像信号として出力する。
【００２６】
Ａ／Ｄ変換器１６は、撮像素子１４から出力されるアナログ信号（画像信号）をデジタル信号に変換する。タイミング発生回路１８は、メモリ制御回路２２及びシステム制御回路５０の制御の下に、撮像素子１４、Ａ／Ｄ変換器１６及びＤ／Ａ変換器２６にクロック信号や制御信号を供給する。
【００２７】
画像処理回路２０は、Ａ／Ｄ変換器１６からの画像データ又はメモリ制御回路２２からの画像データに対して、画素補間処理や色変換処理を行う。また、画像処理回路２０は、Ａ／Ｄ変換器１６から出力される画像データを用いて所定の演算処理を行う。システム制御回路５０は、この演算結果に基づいて、シャッタ制御部４０及び焦点調節部４２を制御するためのＴＴＬ方式のオートフォーカス処理（ＡＦ）、自動露出処理（ＡＥ）及びフラッシュプリ発光処理（ＥＦ）を行う。さらに、画像処理回路２０は、Ａ／Ｄ変換器１６から出力される画像データを用いて所定の演算処理を行い、この演算結果に基づいてＴＴＬ方式のオートホワイトバランス（ＡＷＢ）処理も行う。
【００２８】
メモリ制御回路２２は、Ａ／Ｄ変換器１６、タイミング発生回路１８、画像処理回路２０、画像表示メモリ２４、Ｄ／Ａ変換器２６、メモリ３０及び圧縮・伸長回路３２を制御する。Ａ／Ｄ変換器１６から出力された画像データは、画像処理回路２０及びメモリ制御回路２２を介して、又はメモリ制御回路２２のみを介して画像表示メモリ２４又はメモリ３０に書き込まれる。
【００２９】
画像表示部２８は、Ｄ／Ａ変換器２６によりアナログ信号に変換され、画像表示メモリ２４に書き込まれた画像信号を、図１及び図２に示したＬＣＤモニタユニット４１７に逐次表示することで、電子ビューファインダ（ＥＶＦ）機能を実現する。なお、画像表示部２８は、システム制御回路５０の指示により、電子ビューファインダ（ＥＶＦ）機能をＯＮ／ＯＦＦする。
【００３０】
メモリ３０は、撮像に係る静止画像を格納する。また、メモリ３０は、動画撮影時に所定レートで連続的に記録媒体２００、付属装置２１０書き込まれる画像のフレームバッファとして使用される。さらに、メモリ３０は、システム制御回路５０の作業領域としても使用される。圧縮・伸長回路３２は、公知の画像圧縮方法を用いて画像データを圧縮・伸長する。圧縮・伸長回路３２は、メモリ３０に格納された画像を読み込んで圧縮処理又は伸長処理を行い、処理を終えたデータを再びメモリ３０に書き込む。
【００３１】
シャッタ制御部４０は、測光制御部４６からの測光情報に基づいて、絞り制御部３４０と連携しながら、フォーカルプレンシャッタ１２のシャッタ速度を制御する。焦点調節部４２は、ミラー１３０を透過して不図示のサブミラーによって導かれた被写体像の位相差を検出することで、ＡＦ（オートフォーカス）処理を行う。測光制御部４６は、不図示の測光センサからの出力信号に基づいて、ＡＥ（自動露出）処理を行う。フラッシュ４８は、ＡＦ補助光の投光機能やフラッシュ調光機能を有する。なお、測光制御部４６は、フラッシュ４８と連携して、ＥＦ（フラッシュ調光）処理を行う。
【００３２】
システム制御回路５０は、ＣＰＵやメモリを含み、カメラ本体１００の動作を全体的に制御する。メモリ５２には、システム制御回路５０の動作用の定数、変数、コンピュータプログラム（基本プログラム）等が記憶される。通知部５４は、システム制御回路５０でのコンピュータプログラムの実行に応じて、文字、画像をＬＣＤやＬＥＤ等により表示したり、音声をスピーカ（図示省略）から発したりして、カメラの動作状態やメッセージ等を外部に通知する。この通知部５４には、光学ファインダ１０４内に絞り値、シャッタ速度、合焦度、手振れ警告、露出補正値等の表示を行うＬＣＤユニットが含まれる。
【００３３】
不揮発性メモリ５６は、例えば電気的に消去・記録可能なＥＥＰＲＯＭ等で構成され、コンピュータプログラム等の格納用メモリとして使用される。この場合、当然ながら、コンピュータプログラムは、コンピュータ読取可能に不揮発性メモリ５６に格納される。このコンピュータプログラムには、後述する図４〜図７のフローチャートに係るコンピュータ実行可能に構成されたアプリケーションプログラムが含まれる。不揮発性メモリ５６には、メニュー画面等のＧＵＩ画面上で設定された設定値、メイン電子ダイヤル１１５、サブ電子ダイヤル１１６の操作で設定された設定値、撮影モードダイヤル６０の操作で指定された撮影モード情報等も格納される。
【００３４】
シャッタスイッチ（ＳＷ１）６２は、レリーズボタン１１４の第１ストローク操作（半押し）によってＯＮとなり、ＡＦ処理、ＡＥ処理、ＡＷＢ処理、ＥＦ処理等の動作開始をシステム制御回路５０に指示する。シャッタスイッチ（ＳＷ２）６４は、レリーズボタン１１４の第２ストローク操作（全押し）によってＯＮとなり、露光処理、現像処理及び記録処理からなる一連の撮像処理の動作開始をシステム制御回路５０に指示する。操作部７０は、ＳＥＴボタン１１７などの各種ボタンや、メイン電子ダイヤル１１５、サブ電子ダイヤル１１６、撮影モードダイヤル６０などの各種ダイヤルを含む。システム制御回路５０は、操作部７０からの信号に応じて各種動作を行う。
【００３５】
電源スイッチ７２は、カメラ本体１００の電源のオン／オフを切換えるためのスイッチである。また、電源スイッチ７２の操作によって、カメラ本体１００に接続された交換レンズ３００、外部フラッシュ１１２、記録媒体２００及び他の付属装置（パーソナルコンピュータ等）２１０の電源のオン／オフも同時に切換えることができる。
【００３６】
電源制御部８０は、電池検出回路、ＤＣ−ＤＣコンバータ、通電するブロックを切換えるスイッチ回路等により構成されている。電源制御部８０は、電池の装着の有無、電池の種類及び電池残量の検出を行い、その検出結果及びシステム制御回路５０の指示に基づいてＤＣ−ＤＣコンバータを制御し、必要な電圧を必要な期間、記録媒体２００を含む各部に供給する。
【００３７】
コネクタ８２，８４は、二次電池８６等の電源からの電力をカメラ本体１００、交換レンズ３００、外部フラッシュ１１２、記録媒体２００及び他の付属装置２１０に供給する。９０，９４は記録媒体２００及び付属装置２１０のインターフェースであり、９２，９６は記録媒体２００や付属装置２１０との接続を行うコネクタである。９８はコネクタ９２，９６に記録媒体２００や付属装置２１０が装着されているか否かを検出する着脱検出回路である。
【００３８】
次に、ブラケティング撮影として、撮影設定項目を露出補正とした場合、すなわち、オート露出ブラケット撮影（以下、ＡＥＢ撮影）を適用した例を用いて実施形態を説明する。図８（ａ）、（ｂ）、（ｃ）は、ＡＥＢ撮影に必要な値を設定する画面の表示例である。なお、以下では、プラス側補正値を＋側補正値、マイナス側補正値を−側補正値のように記載する。図８（ａ）は、露出の基準値である露出補正値と、ＡＥＢの補正ステップ量（以下、ＡＥＢ補正幅という。正の値である）を設定する画面の表示例である。図８（ｂ）はブラケティング順序を設定する画面の表示例である。例えば、図示のように「０→−→＋」が設定された状態でＡＥＢ撮影を行うと、露出補正値が基準値、−側補正値（基準値−ＡＥＢ補正幅）、＋側補正値（基準値＋ＡＥＢ補正幅）の順に撮影される。なお、基準値は、自動露出撮影処理（ＡＥ）においてどの程度の明るさにするように露出調整するかの基準となる値であり、この値に基づいてＡＥが行われる。基準値は、ユーザによる露出補正の操作によって変更可能である。
【００３９】
図８（ｃ）はブラケティング撮影時に補正量を変えて撮影する枚数（撮影枚数）を設定する画面の表示例である。この画面で撮影枚数を３枚から２枚に変更した場合、ＡＥＢ補正値は、３枚用のＡＥＢ補正値から２枚用のＡＥＢ補正値（以下、ＡＥＢ補正値［２］）に切り替わる。このとき、撮影枚数が３枚用のＡＥＢ補正幅に、ブラケティング順序が０以外で先に撮影される符号を付加した値が、撮影枚数が２枚の場合のＡＥＢ補正値［２］の初期値となる。たとえば、図８（ｂ）の順序設定の画面で「０→−→＋」が選択されている状態で、枚数が２枚に変更されると、「０」以外で先に撮影される符号は「−」であり、基準値からＡＥＢ補正幅を差し引いた値がＡＥＢ補正値［２］となる。これは、撮影枚数が３枚から２枚に変更された場合、撮影枚数が３枚のときの２つの補正値のうち設定された撮影順序で先に使用される補正値が、撮影枚数が２枚のときの補正値（ＡＥＢ補正値［２］）として設定されることと同義である。このＡＥＢ補正値［２］は、図６で後述する処理により、ユーザの操作に基づいた変更が可能である。逆に、撮影枚数が２枚から３枚に変更された場合は、補正値の一方である−側補正値は基準値からＡＥＢ補正幅（ＡＥＢ補正値［２］の絶対値）を差し引いた値となり、もう一方の補正値である＋側補正値は基準値にＡＥＢ補正幅を加算した値となる。なお、ＡＥＢ補正値［２］の値を、撮影枚数が３枚のときのＡＥＢ補正幅と独立して記憶しておき、撮影枚数が３枚から２枚に変更された際にＡＥＢ補正値［２］の値を更新せずに、記憶した前回のＡＥＢ補正値［２］から変更されないようにしても良い。また、ＡＥＢ補正値［２］の値の正負のみを、撮影枚数が３枚のときのＡＥＢ補正幅と独立して記憶しておき、撮影枚数が３枚から２枚に変更された際に、ＡＥＢ補正値［２］の初期値を、撮影枚数が３枚のときの２つの補正値のうち記憶してあった正負の補正値としてもよい。
【００４０】
各設定画面への遷移は、ＭＥＮＵボタン６６を押して表示されるメニュー一覧から選択することでなされる。図８（ａ）の設定画面では、メイン電子ダイヤル１１５でＡＥＢの補正値（補正幅）を変更し、サブ電子ダイヤル１１６で基準値である露出補正値を変更し、ＳＥＴボタンで変更を確定する。図８の（ｂ）、（ｃ）の各設定画面では、サブ電子ダイヤル１１６で設定を選択し、ＳＥＴボタンで変更を確定する。
【００４１】
図９は、図８（ａ）の「露出補正／ＡＥＢ設定」の露出補正値とＡＥＢ補正値の表示部分８０１の表示例を示した図である。図９（ａ）は、図８（ｃ）に示される枚数設定のメニューで「ブラケティング時の撮影枚数」が３枚に設定されたときの表示例である。９０１は、露出補正値（基準値）を示す指標である。９０２は、ＡＥＢ補正値の−側補正値を示す指標である。９０３は、ＡＥＢ補正値の＋側補正値を示す指標である。図９（ｂ），（ｃ）は、図８（ｃ）に示される枚数設定のメニューで「ブラケティング時の撮影枚数」が２枚に設定されたときの表示例である。９０４は、ＡＥＢ補正値［２］が＋側補正値を示す指標である。９０５は、ＡＥＢ補正値［２］が−側補正値を示す指標である。
【００４２】
図１０は、図８の表示部分８０１を図示したものであり、「露出補正／ＡＥＢ設定」の露出補正値（基準値）とＡＥＢ補正値の、ユーザ操作に応じた遷移例である。図１０（ａ）は、図８（ｃ）の順序設定のメニューで「ブラケティング時の撮影枚数」が３枚に設定されている状態で、メイン電子ダイヤル１１５が操作された場合の表示例である。
【００４３】
１００１は、ＡＥＢ補正幅が２／３である場合の指標の表示例である（−側補正値が基準値−２／３、＋側補正値が基準値＋２／３）。１００２は、ＡＥＢ補正幅が１／３である場合の指標の表示例である（−側補正値が基準値−１／３、＋側補正値が基準値＋１／３）。１００３は、ＡＥＢ補正幅が０である場合、すなわちＡＥＢ補正値なしの場合の指標の表示例であり、この場合はブラケティング撮影は行われない。ＡＥＢ補正幅が１／３（表示例１００２）のとき、ユーザがメイン電子ダイヤル１１５を右に回すと、ＡＥＢ補正幅が２／３（表示例１００１）に変更され、左に回すと０（表示例１００３）に変更される。ＡＥＢ補正幅が０（表示例１００３）のとき、メイン電子ダイヤル１１５が右に回されるとＡＥＢ補正幅が１／３（表示例１００２）に変更されるが、左に回されてもＡＥＢ補正値は変更されない。このように、撮影枚数が３枚の場合は、基準値に対してプラスとマイナスの側に２つの補正値が設定される。そして、所定の操作信号に応じて基準値と２つの補正値の各々との差である補正幅が順次に増加し、他の操作信号に応じて補正幅が０になるまで順次に減少する。
【００４４】
図１０（ｂ）は、図８（ｃ）のメニューで「ブラケティング時の撮影枚数」が２枚に設定された状態で、メイン電子ダイヤル１１５が操作された場合の表示例である。１００４は、ＡＥＢ補正値［２］が基準値＋２／３である場合の指標の表示例である。１００５は、ＡＥＢ補正値［２］が基準値＋１／３である場合の指標の表示例である。１００６は、ＡＥＢ補正幅が０である場合、すなわちＡＥＢ補正値［２］がない場合の指標の表示例であり、この場合はブラケティング撮影は行われない。１００７は、ＡＥＢ補正値［２］が基準値−１／３である場合の指標の表示例である。１００８は、ＡＥＢ補正値［２］が基準値−２／３である場合の指標の表示例である。
【００４５】
ＡＥＢ補正値［２］が基準値＋２／３（表示例１００４）のとき、メイン電子ダイヤル１１５が左に回されるとＡＥＢ補正値［２］が基準値＋１／３（表示例１００５）に変更される。ＡＥＢ補正値［２］が基準値＋１／３（表示例１００５）のとき、メイン電子ダイヤル１１５が右に回されるとＡＥＢ補正値［２］が基準値＋２／３（表示例１００４）に変更され、左に回すと０（表示例１００６）に変更される。
【００４６】
ＡＥＢ補正値［２］が０（表示例１００６）のとき、メイン電子ダイヤル１１５が右に回されるとＡＥＢ補正値［２］は基準値＋１／３（表示例１００５）に変更され、左に回されると基準値−１／３（表示例１００７）に変更される。ＡＥＢ補正値［２］が基準値−１／３（表示例１００７）のとき、メイン電子ダイヤル１１５が右に回されるとＡＥＢ補正値［２］は０（表示例１００６）に変更され、左に回されるとＡＥＢ補正値［２］は基準値−２／３（表示例１００８）に変更される。
【００４７】
以上のように、撮影枚数が２枚の場合は基準値と１つの補正値が設定され、所定の操作信号に応じて補正値が基準値に対するプラス側の値及びマイナス側の値を含む所定範囲内で順次に増加し、他方の操作信号に応じて補正値が所定範囲内で順次に減少する。このように、本実施形態によれば、ＡＥＢ補正値［２］の設定においても、メイン電子ダイヤル１１５の操作によって指標が基準値０を跨ぐことができるので、メイン電子ダイヤル１１５の操作のみで補正値を＋側とするか−側とするかを切り換えることができる。
【００４８】
次に、ユーザがメニューから実行した場合のＡＥＢ補正値変更の処理の概要を、図４のフローチャートに基づいて説明する。なお、図４のステップＳ４０２，ステップＳ４０３の処理の詳細は、それぞれ図５，図６のフローチャートに基づいて後で説明する。
【００４９】
ユーザが露出補正／ＡＥＢ設定の開始を指示すると、システム制御回路５０はブラケティング時の撮影枚数設定を判別し（Ｓ４０１）、その結果、３枚の場合は、ＡＥＢ撮影３枚用の設定処理を行い（Ｓ４０２）、処理を終了する。一方、ブラケティング時の撮影枚数設定が２枚の場合は、ＡＥＢ撮影２枚用の設定処理を行い（Ｓ４０３）、処理を終了する。なお、説明は省略するが、他に、撮影枚数５枚、７枚の場合がある。たとえば、５枚の場合は、＋側−側の両側とも撮影枚数３枚のときの補正値と基準値との差（補正幅）を２倍した補正幅で補正値を追加する。また、７枚の場合は、例えば、上記撮影枚数が５枚のときの上記補正値を追加するとともに、＋側−側の両側ともに撮影枚数３枚のときの補正幅を３倍した補正幅で補正値を追加する。
【００５０】
次に、図４のＳ４０２におけるＡＥＢ撮影３枚用の設定処理の詳細を、図５のフローチャートに基づいて説明する。ＡＥＢ撮影３枚用の設定処理では、ブラケティング時の撮影枚数が３枚に設定された場合の、露出補正／ＡＥＢ設定処理を行う。
【００５１】
システム制御回路５０は、まず、露出補正値、ＡＥＢ補正幅、＋側補正値、−側補正値、ブラケティング時の撮影枚数、露出設定ステップなどの情報により、露出補正／ＡＥＢ設定画面（図８の（ａ））を表示する（Ｓ５０１）。次に、システム制御回路５０は、ユーザ操作を判断する（Ｓ５０２）。ユーザ操作がメイン電子ダイヤル１１５への操作であった場合、システム制御回路５０はメイン電子ダイヤル１１５の回転方向を判断する（Ｓ５０３）。そして、メイン電子ダイヤル１１５の回転方向が左の場合には処理はステップＳ５０４に進み、右の場合には処理はステップＳ５０５に進む。
【００５２】
メイン電子ダイヤル１１５の回転方向が左の場合、システム制御回路５０は、ＡＥＢ補正幅が０か否かを判断し（Ｓ５０４）、ＡＥＢ補正幅が０の場合は、処理はステップＳ５０２に進む。ＡＥＢ補正幅が０でない場合は、システム制御回路５０は、露出設定ステップを判断し（Ｓ５０６）、露出設定ステップが１／３の場合は、＋側補正値から１／３を引き（Ｓ５０８）、−側補正値に１／３を足し（Ｓ５０９）、処理をステップＳ５１６に進める。一方、露出設定ステップが１／２の場合は、システム制御回路５０は、＋側補正値から１／２を引き（Ｓ５１０）、−側補正値に１／２を足し（Ｓ５１１）、処理をステップＳ５１６に進む。
【００５３】
他方、メイン電子ダイヤルの回転方向が右の場合、システム制御回路５０は、ＡＥＢ補正幅が３以上か判断し（Ｓ５０５）、３以上であった場合は、処理をステップＳ５０２に戻す。ＡＥＢ補正幅がＡＥＢ補正幅が３以上でない場合は、システム制御回路５０は、露出設定ステップを判断し（Ｓ５０７）、露出設定ステップが１／３の場合は、＋側補正値に１／３を足し（Ｓ５１２）、−側補正値から１／３を引く（Ｓ５１３）。一方、露出設定ステップが１／２の場合は、システム制御回路５０は、＋側補正値に１／２を足し（Ｓ５１４）、−側補正値から１／２を引く（Ｓ５１５）。次に、システム制御回路５０は、ＡＥＢ補正幅を＋側補正値で更新し（Ｓ５１６）、露出補正／ＡＥＢ設定画面（図８の（ａ））における＋側補正値、−側補正値の表示を更新し（Ｓ５１７）、処理をステップＳ５０２に進める。
【００５４】
ステップＳ５０２でユーザ操作がＳＥＴボタン１１７の場合は、システム制御回路５０は、表示中の露出補正値、ＡＥＢ補正幅、＋側補正値、−側補正値をメモリ５２に保存して（Ｓ５１８）処理を終了する。
【００５５】
次に、図４のＳ４０３におけるＡＥＢ撮影２枚用の設定処理の詳細を、図６のフローチャートに基づいて説明する。ＡＥＢ撮影２枚用の設定処理では、ブラケティング時の撮影枚数が２枚設定の場合の、露出補正／ＡＥＢ設定処理が行われる。
【００５６】
システム制御回路５０は、まず、露出補正値、ＡＥＢ補正幅、ＡＥＢ補正値［２］、ブラケティング時の撮影枚数、露出設定ステップなどの情報により、露出補正／ＡＥＢ設定画面（図８（ａ））を表示する（Ｓ６０１）。次に、システム制御回路５０は、ユーザ操作を判断し（Ｓ６０２）、メイン電子ダイヤル１１５の操作と判断した場合は、メイン電子ダイヤル１１５の回転方向を判断する（Ｓ６０３）。ここで、メイン電子ダイヤル１１５の回転方向が左の場合は、処理はステップＳ６０４に進み、右の場合は、処理はステップＳ６０５に進む。
【００５７】
メイン電子ダイヤル１１５の回転方向が左の場合、システム制御回路５０は、ＡＥＢ補正値［２］が−３以下か判断し（Ｓ６０４）、−３以下の場合は、処理をステップＳ６０２に戻し、そうでない場合は、処理をステップＳ６０６へ進める。その後、システム制御回路５０は、露出設定ステップ量を判断し（Ｓ６０６）、露出設定ステップが１／３の場合は、ＡＥＢ補正値［２］から１／３を引き（Ｓ６０８）、処理をステップＳ６１２に進める。一方、露出設定ステップが１／２の場合は、システム制御回路５０は、ＡＥＢ補正値［２］から１／２を引き（Ｓ６０９）、ステップＳ６１２に進む。
【００５８】
メイン電子ダイヤル１１５の回転方向が右の場合、システム制御回路５０は、ＡＥＢ補正値［２］が３以上か判断し（Ｓ６０５）、３以上の場合は、処理をステップＳ６０２に戻す。一方、ＡＥＢ補正値［２］が３以上でない場合は、システム制御回路５０は、露出設定ステップ量を判断し（Ｓ６０７）、露出設定ステップが１／３の場合は、ＡＥＢ補正値［２］に１／３を足し（Ｓ６１０）、ステップＳ６１２に進む。一方、露出設定ステップが１／２の場合は、システム制御回路５０は、ＡＥＢ補正値［２］に１／２を足す（Ｓ６１１）。次に、ＡＥＢ補正幅をＡＥＢ補正値［２］の絶対値で更新し（Ｓ６１２）、２枚補正値の表示を更新し（Ｓ６１３）、ステップＳ６０２に進む。
【００５９】
ステップＳ６０２でユーザ操作がＳＥＴボタン１１７であった場合、システム制御回路５０は、表示中の露出補正値、ＡＥＢ補正幅、ＡＥＢ補正値［２］をメモリ５２に保存して（Ｓ６１４）処理を終了する。なお、上述したように、本実施形態では、撮影枚数が３枚から２枚に変更されると、撮影枚数が３枚のときの２つの補正値のうち設定された撮影順序で先に使用される補正値が、撮影枚数が２枚のときの補正値の初期値（ＡＥＢ補正値［２］の初期値）として設定される。そして、図６の処理でＡＥＢ補正値［２］は初期値から変更されてユーザーの操作に基づいた値に設定される。さらに、撮影枚数が２枚から３枚に変更されると、ＡＥＢ補正値［２］が、撮影枚数３枚におけるＡＥＢ補正幅となる。すなわち、Ｓ６１４のＡＥＢ補正値［２］の上書き処理によって、ステップＳ５１８で保持されたＡＥＢ補正幅の値を上書きすることになる。
【００６０】
以上のような、本実施形態によれば、上述した撮影設定項目の設定値を、基準値と、少なくとも１つの補正値とに設定して複数の画像を取得するブラケティング撮影が可能な撮像装置において、次のような操作が可能となる。即ち、
ブラケティング撮影の撮影枚数がＮ枚（Ｎは３以上の整数）の場合は、基準値の＋側と−側にＮ−１個の補正値が設定され、
・第１の操作（例えば、メイン電子ダイヤル１１５の時計回りの回転操作）に応じた第１の操作信号により、＋側および−側のＡＢＥ補正幅の絶対値を、基準値に対するプラス側の値及びマイナス側の値を含む所定範囲内で（上記例では基準値±３）まで増加させる。
・第２の操作（例えば、メイン電子ダイヤル１１５の反時計回りの回転操作）に応じた第２の操作信号により、＋側および−側のＡＢＥ補正幅の絶対値を０まで順次に減少させる。
・ＡＢＥ補正幅が０になった場合（ＡＥＢ補正値が基準値と同一になった場合）、更に第２の操作を行っても補正値の設定は変更しない（補正幅＝０を跨がない）。
【００６１】
一方、撮影枚数が２枚である場合は、
・第１の操作に応じた第１の操作信号により、所定範囲内（基準値＋最大補正幅までの範囲、上記例では基準値＋３までの範囲）で、ＡＥＢ補正値を順次に増加させる。
・第２の操作に応じた第２の操作信号により、所定範囲内（基準値−最大補正幅までの範囲（上記例では基準値−３までの範囲）で、ＡＥＢ補正値を順次に減少させる。
・従って、−側の補正値が第１の操作により増加して基準値と同一になった場合に、更に第１の操作が行われると補正値が＋側へ変更される（補正幅＝０を跨ぐ）。
・同様に、＋側の補正値が第２の操作により減少して基準値と同一になった場合に、更に第２の操作が行われると補正値を−側へ変更される（補正幅＝０を跨ぐ）。
【００６２】
なお、上記では、補正幅または補正値の変更を行うための第１の操作、第２の操作をメイン電子ダイヤル１１５の時計回りの回転操作及び反時計回りの回転操作としたが、これに限られないことは言うまでもない。また、上記の操作例では、第１の操作信号によりＡＥＢ補正幅またはＡＥＢ補正値が増加し、第２の操作信号によりＡＥＢ補正幅またはＡＥＢ補正値が減少するものとしたが、これに限られるものではない。たとえば、第１の操作信号によりＡＥＢ補正幅は増加し、ＡＥＢ補正値は減少するようにしてもよい。なお、Ｎが３以上の奇数であれば、基準値の＋側と−側で同数の補正値が設定されるが、Ｎが４以上の偶数の場合は、基準値の＋側と−側とで設定される補正値の個数が異なることになる（いずれかの側に、他方の側よりも１つ多い補正値が設定される)。この場合、＋側と−側のいずれの側の補正値を多くするかは、予め決定されていてもよいし、ユーザが設定可能にしてもよい。
【００６３】
次に、ブラケティング撮影処理について、図７のフローチャートに基づいて説明する。シャッタスイッチ（ＳＷ１）６２などにより撮影準備状態になると、システム制御回路５０は、撮影に使用する露出の補正値を求める（Ｓ７０１）。ここで、システム制御回路５０は、ユーザが設定した露出補正値（基準値）、＋側補正値、−側補正値、ＡＥＢ補正値［２］、ブラケティング時の撮影枚数、ブラケティング順序、撮影するＡＥＢ撮影番号などの情報により、撮影に使用する露出の補正値を求める。例えば、ブラケティング時の撮影枚数が２枚、ブラケティング順序が−→０→＋、露出補正値が＋１、ＡＥＢ補正値［２］が露出補正値（基準値）＋１／３（すなわち１＋１／３）、撮影するＡＥＢ番号が１枚目の場合を説明する。ブラケティング順序では１枚目に「−」が設定されているが、ＡＥＢ補正値［２］は、露出補正値と比較すると＋側なので、「−」は無視される。次の順序は「０」なので、撮影に使用する補正値は基準値である露出補正値＋１となる。もしＡＥＢ番号が２枚目の場合は、その次の順序では「＋」なので、撮影に使用する補正値は１＋１／３となる。こうして、設定されているブラケティング順序のうち、ブラケティング撮影において存在しない補正値での撮影を飛ばした順番で、撮影が行なわれることになる。
【００６４】
次に、システム制御回路５０は、ステップＳ７０１で求めた補正値などから、シャッタ秒時（ＣＣＤ蓄積時間）、絞り値等を決定するための測光演算処理を行う（Ｓ７０２）。また、システム制御回路５０は、被写体に焦点を合わせる為に、周知の位相差検出方式による測距動作を行い（Ｓ７０３）、前記測距動作によるデータをもとに、レンズを駆動する（Ｓ７０４）。次に、システム制御回路５０は、シャッタスイッチ（ＳＷ２）などで撮影操作が行われた場合（Ｓ７０５）、撮影動作を行い（Ｓ７０６）、撮影の後処理を行い（Ｓ７０７）、処理を終了する。撮影動作には、ＣＣＤのゲイン設定、ＣＣＤ蓄積動作、ＣＣＤ読み出し、画像処理、画像書き込み等、が含まれる。ステップＳ７０７の撮影後処理で、システム制御回路５０は、前述のＡＥＢ番号に１を足すが、この結果ＡＥＢ番号がＡＥＢ撮影枚数を超えた場合、ＡＥＢ番号を０にする。なお、ステップＳ７０５において撮影操作が検出されなかった場合は、処理を終了する。
【００６５】
なお、撮影枚数２枚のときの補正値の符号の決定に、ブラケティング撮影の−、０、＋の撮影順の設定値を用いることも考えられる（例えば、ブラケティング順序で−の方が先の順番である場合には、撮影枚数２枚の時の補正値の符号は−に決定される）。しかしながら、ブラケティング撮影の撮影順とは、ユーザが再生操作で画像を確認する際、ブラケティング撮影した画像の並び順（表示順）をユーザの好ましい順序にすることにより、画像の露出の比較をしやすくするためのものである。従って、ブラケティング撮影の撮影順が、補正値の符号決定という本来の目的とは異なる目的に使用されることになるため、ユーザにとってわかりづらいユーザインターフェースとなってしまう。これに対して、本実施形態によれば、撮影枚数が２枚の時の補正値の符号設定のためにブラケティング順序の設定を変更する必要がなくなる。すなわち、図８（ｂ）に示す順序設定のメニューはブラケティング順序だけを設定する機能になるので、ブラケティング順序の機能をわかりやすくすることができる。
【００６６】
なお、上述の例では、１回の撮影指示（ＳＷ２）によって１枚の画像を撮影する例を述べたが、１回の撮影指示（ＳＷ２）に応じて１組分（複数回）の撮影を連続的に行うものとしてもよい。さらに、上述の例では、露出のブラケティング撮影について説明したが、露出のブラケティング撮影に限るものではなく、本発明は他の撮影条件のブラケティング撮影にも適用可能である。例えば、ストロボ撮影、シャッタ速度、絞り値、ホワイトバランス、ＩＳＯ感度、フォーカスなどに係るブラケティング撮影の基準値に対する補正値の設定方法にも本発明を適用可能である。また、更に、本発明は、ＨＤＲ（ハイダイナミックレンジ）撮影や多重露光撮影など、露出、ＩＳＯ感度などの撮影条件を異ならせて複数回の撮影を行う際の基準値に対する補正値の設定方法にも適用可能である。すなわち、ブラケティング撮影において変化させる撮影設定項目として、上述した項目の一つまたは複数の組み合わせを適用することができる。
【００６７】
なお、システム制御回路５０の制御は１つのハードウェアが行ってもよいし、複数のハードウェアが処理を分担することで、装置全体の制御を行ってもよい。
【００６８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６９】
また、上述した実施形態においては、本発明をデジタルカメラに適用した場合を例にして説明したが、これはこの例に限定されず、ブラケティング撮影が可能な撮像装置及びその制御方法であれば適用可能である。すなわち、本発明はカメラ付ＰＤＡ、カメラ付携帯電話端末、カメラ付音楽プレーヤー、カメラ付ゲーム機、カメラ付電子ブックリーダー、撮像装置をリモート制御可能なパーソナルコンピュータなどに適用可能である。
【００７０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005693355.tif 000002
【図２】
0005693355.tif 000003
【図３】
0005693355.tif 000004
【図４】
0005693355.tif 000005
【図５】
0005693355.tif 000006
【図６】
0005693355.tif 000007
【図７】
0005693355.tif 000008
【図８】
0005693355.tif 000009
【図９】
0005693355.tif 000010
【図１０】
0005693355.tif 000011